(57)【要約】【課題】使用状況に応じて、頭部全体を確実に覆うことができる頭部装飾具としてのターバンを提供する。【解決手段】人間の頭部２に装着される頭部装飾具としてのターバン１であって、ターバン１の長手方向（図１における左右方向）中央部に設けられ、頭部２の略全体を収納可能な袋状の頭部被覆部１０と、頭部２が進入可能な大きさにて形成され、頭部被覆部１０の内部と外部とを連通する頭部進入用開口部１１と、頭部被覆部１０の両側部から、それぞれ、ターバン１の長手方向において対向する方向に延出する一対の巻き付け部１２（１２ａ，１２ｂ）と、一対の巻き付け部１２ａ，１２ｂのそれぞれに取り付けられ、巻き付け部１２ａ，１２ｂの形態を保持可能なワイヤ部材１３（１３ａ，１３ｂ）と、を備える【選択図】図１
0003235383.tif 000002
【実用新案登録請求の範囲】
【請求項１】
人間の頭部に装着される頭部装飾具としてのターバンであって、
前記ターバンの長手方向中央部に設けられ、前記頭部の略全体を収納可能な袋状の頭部被覆部と、
前記頭部が進入可能な大きさにて形成され、前記頭部被覆部の内部と外部とを連通する頭部進入用開口部と、
前記頭部被覆部の両側部から、それぞれ、前記ターバンの長手方向において対向する方向に延出する一対の巻き付け部と、
前記一対の巻き付け部のそれぞれに取り付けられ、前記巻き付け部の形態を保持可能なワイヤ部材と、
を備えることを特徴とするターバン。
【請求項２】
前記頭部進入用開口部の周縁部全周に、所定幅の伸縮部材が取り付けられており、前記伸縮部材の前側中央部に前記伸縮部材の幅方向寸法を短くする絞り部が設けられている請求項１に記載のターバン。
【請求項３】
前記一対の巻き付け部は、それぞれ、前記頭部被覆部と内部において連通する袋状となっており、前記頭部被覆部と前記一対の巻き付け部とを区画する部分には縫着部が設けられていない請求項１または２に記載のターバン。
【考案の詳細な説明】
【技術分野】
【０００１】
本考案は、人間の頭部に装着される頭部装飾具としてのターバンに関する。
【背景技術】
【０００２】
従来から、人間の頭部に装着される頭部装飾具として、帽子やバンダナ、スカーフ、ターバン等が知られている。頭部装飾具としてのターバンは、長手方向に延びる帯状の布を頭部に巻き付けるものであり、生地の風合いや柄を活かすことができることや、着用の仕方に自由度がある（着用時の形態をアレンジできる）こと等の特徴から、ファッションをより楽しめるものとして需要がある。
そのようなターバンとして、特許文献１（実登３０１３９２０号公報）においては、ターバンに針金を入れることや、そのような針金入りターバンにリングスナップやボタン及びホックをつけることで、頭全体の髪をまとめたり、頭の後ろで髪をアップにしたり出来るものが、提案されている。
【先行技術文献】
【特許文献】
【０００３】
【特許文献１】実登３０１３９２０号公報
【考案の概要】
【考案が解決しようとする課題】
【０００４】
このような状況下、考案者は、従来の頭部装飾具としてのターバンに改良の余地があることに気付いた。例えば、頭部における脱毛症の者や、病気（例えば、癌）の治療に伴って頭部に脱毛を生じた者等は、従来のターバンを着用するのに抵抗を感じたり、また、ターバンの着用を十分に楽しめないことがある。これは、着用中にターバンがズレることで脱毛部分が露出してしまうことに不安を感じたり、従来のターバンでは頭部全体を覆った場合に着用の自由度が低下してしまうことが原因である。また、野外で活動する際（例えば、キャンプ等）には、安全のために頭部全体を覆うことが好ましい場合があり、ファッション性（着用の自由度）と安全性の両立が求められている。
そこで、本考案の目的は、使用状況に応じて、頭部全体を確実に覆うことができる頭部装飾具としてのターバンを提供することである。
【課題を解決するための手段】
【０００５】
上記目的を達成するものは、以下のものである。
（１）  人間の頭部に装着される頭部装飾具としてのターバンであって、
前記ターバンの長手方向中央部に設けられ、前記頭部の略全体を収納可能な袋状の頭部被覆部と、
前記頭部が進入可能な大きさにて形成され、前記頭部被覆部の内部と外部とを連通する頭部進入用開口部と、
前記頭部被覆部の両側部から、それぞれ、前記ターバンの長手方向において対向する方向に延出する一対の巻き付け部と、
前記一対の巻き付け部のそれぞれに取り付けられ、前記巻き付け部の形態を保持可能なワイヤ部材と、
を備えるターバン。
【０００６】
（２）  前記頭部進入用開口部の周縁部全周に、所定幅の伸縮部材が取り付けられており、前記伸縮部材の前側中央部に前記伸縮部材の幅方向寸法を短くする絞り部が設けられている上記（１）に記載のターバン。
（３）  前記一対の巻き付け部は、それぞれ、前記頭部被覆部と内部において連通する袋状となっており、前記頭部被覆部と前記一対の巻き付け部とを区画する部分には縫着部が設けられていない上記（１）または（２）に記載のターバン。
【考案の効果】
【０００７】
本考案のターバンは、頭部の略全体を頭部被覆部に収納した状態（頭部被覆部で頭部の略全体を外部から視認不可に覆った状態）で装着でき、かつ巻き付け部を任意の形態（位置および形状）で保持することができる。これにより、装着中に頭部が露出することを防止しつつ、頭部の装飾（ファッション）を楽しむことができる。
【図面の簡単な説明】
【０００８】
【図１】図１は、本考案のターバンの実施例を示す正面図である。
【図２】図２は、本考案のターバンの形成過程を説明するための説明図である。
【図３】図３は、図１に示すターバンにおいて用いられているワイヤ部材を説明するための拡大図である。
【図４】図４は、図３におけるＡ−Ａ断面拡大図である。
【図５】図５は、本考案の実施例のターバンの装着状態の一例を示す、正面説明図である。
【図６】図６は、本考案の実施例のターバンの装着状態の一例を示す、側面説明図である。
【図７】図７は、本考案の実施例のターバンの装着状態の一例を示す、平面説明図である。
【図８】図８は、本考案の実施例のターバンの装着状態の他の例を示す、側面説明図である。
【図９】図９は、本考案の実施例のターバンの装着状態の他の例を示す、平面説明図である。
【考案を実施するための形態】
【０００９】
本考案のターバンを図面に示した実施例を用いて説明する。
【００１０】
本考案のターバン１は、人間の頭部２に装着される頭部装飾具としてのターバン１であって、ターバン１の長手方向（図１における左右方向）中央部に設けられ、頭部２の略全体を収納可能な袋状の頭部被覆部１０と、頭部２が進入可能な大きさにて形成され、頭部被覆部１０の内部と外部とを連通する頭部進入用開口部１１と、頭部被覆部１０の両側部から、それぞれ、ターバン１の長手方向において対向する方向に延出する一対の巻き付け部１２（１２ａ，１２ｂ）と、一対の巻き付け部１２ａ，１２ｂのそれぞれに取り付けられ、巻き付け部１２ａ，１２ｂの形態を保持可能なワイヤ部材１３（１３ａ，１３ｂ）と、を備える。
【００１１】
頭部被覆部１０は、ターバン１の長手方向中央部に設けられ、頭部２の略全体を収納可能（言い換えれば、頭部被覆部１０に収納された頭部２の略全体を外部から視認できないように被覆可能）な袋状の形態となっている。なお、「頭部の略全体を収納可能」とは、頭部全体を完全に収納する（覆う）状態を含むものの、それに限られず、例えば、耳周辺の側頭部の一部や、首付近の後頭部の一部が不可避的に外部に露出することを許容する意味である。
【００１２】
より具体的には、本実施例のターバン１は、図２に示すような一枚の生地３を二つ折り（図２に示す点線部にて谷折り）にして、頭部進入用開口部１１の形成部分を除いて、二つ折りされて重なった生地の外周縁部を縫着することで形成されている。頭部被覆部１０に該当する部分は、二つ折りされて重なった生地同士が縫着されておらず、内部に頭部２の略全体を収納可能な空間が確保される。
【００１３】
ターバン１には、頭部２が進入可能な大きさにて形成され、頭部被覆部１０の内部と外部とを連通する頭部進入用開口部１１が設けられている。上述したように、本実施例では、頭部進入用開口部１１に該当する部分は、二つ折りされて重なった生地同士が縫着されておらず、頭部被覆部１０の内部空間と外部とを連通可能とする開口が形成される。
【００１４】
本実施例では、頭部進入用開口部１１の周縁部全周に、所定幅の伸縮部材１４が取り付けられ（縫着され）ている。伸縮部材１４は、例えば、ゴム製の環状部材である。伸縮部材１４は、頭部進入用開口部１１の周縁に沿って伸縮可能［頭部進入用開口部１１の大きさ（径）を拡縮可能］であり、これにより、ターバン１（頭部被覆部１０）のズレや頭部２からの脱落を抑止する。また、伸縮部材１４は、前側中央部に設けられた絞り部１５において、伸縮部材１４の幅方向寸法が短くなっている。これにより、ターバン１の装着時に、伸縮部材１４が前方から視認され難くなる。
【００１５】
ターバン１には、頭部被覆部１０の両側部から、それぞれ、ターバン１の長手方向（図１における左右方向）において対向する方向に延出する一対の巻き付け部１２（１２ａ，１２ｂ）が設けられている。一対の巻き付け部１２ａ，１２ｂは、後述する（例えば、図５ないし図７に示す）ように、任意の位置で互いに巻き付けることで、ターバン１を頭部２に固定するとともに、ターバン１装着時の装飾性を高めるものである。
【００１６】
本実施例では、巻き付け部１２ａ，１２ｂは、それぞれ、先端部（頭部被覆部１０とは反対側の端部）に向かって幅［ターバン１の短手方向（図１における上下方向）寸法］が徐々に小さくなっている。これにより、巻き付け部１２ａ，１２ｂを互いに巻き付けた際に、端部がすっきりとまとまり、装飾性がより高まる。
【００１７】
上述したように、本実施例のターバン１は、一枚の生地３を二つ折りにして形成されており、一対の巻き付け部１２ａ，１２ｂは、それぞれ、頭部被覆部１０と内部において連通する袋状となっており、頭部被覆部１０と一対の巻き付け部１２ａ，１２ｂとを区画する部分には縫着部が設けられていない（言い換えれば、頭部被覆部１０と一対の巻き付け部１２ａ，１２ｂとの間で、重なった生地同士は縫着されていない）。これにより、頭部被覆部１０と巻き付け部１２ａ，１２ｂとの間に縫着部に起因する不自然な形状が生じることが防止される。
【００１８】
なお、本実施例においては、一対の巻き付け部１２ａ，１２ｂは、互いに略同一の長さとされているが、それぞれの長さが異なっていてもよい。
【００１９】
一対の巻き付け部１２ａ，１２ｂのそれぞれには、巻き付け部１２ａ，１２ｂの形態を保持可能なワイヤ部材１３（１３ａ，１３ｂ）が取り付けられている。本実施例では、ワイヤ部材１３ａ，１３ｂは、巻き付け部１２ａ，１２ｂにおいて、ターバン１の短手方向略中央に取り付けられている。これにより、ターバン１の装着時（巻き付け部１２ａ，１２ｂ同士を巻き付けた時）に、ワイヤ部材１３ａ，１３ｂの存在が外部から視認され難くなる。また、ワイヤ部材１３ａ，１３ｂをガイドにしてターバン１を短手方向に折り畳むことで、従来のターバンと略同態様で装着することができるようになる。
【００２０】
本実施例では、ワイヤ部材１３ａ，１３ｂは、それぞれ、巻き付け部１２ａ，１２ｂに、その周囲が縫着された状態で取り付けられ（固定され）ている。具体的には、図２に示すように、ターバン１を形成する際に、一枚の生地３の所定の位置にワイヤ部材１３ａ，１３ｂを載置しておき［このとき、接着や仮縫いによってワイヤ部材１３ａ，１３ｂを仮留め（仮位置決め）しておいてもよい］、一枚の生地３を二つ折りした後に、ワイヤ部材１３ａ，１３ｂの周囲において、重なった生地同士を縫着することで、ワイヤ部材１３ａ，１３ｂを、巻き付け部１２ａ，１２ｂに取り付ける（固定する）ことができる。
【００２１】
本実施例で用いられているワイヤ部材１３（１３ａ，１３ｂ）は、図３および図４に示すように、芯材としての金属製のワイヤ（針金）１６を備え、当該ワイヤ１６が、樹脂製の被覆部１７によって覆われている。これにより、ターバン１が頭部２に装着され、汗や雨等に晒される環境であっても、ワイヤ部材１３（ワイヤ１６）における錆の発生を抑制できる。また、ワイヤ部材１３の先端（両端）にはシリコン製のキャップ１８，１８が、それぞれ取り付けられている。これにより、ワイヤ部材１３の先端部を保護するとともに、ワイヤ部材１３が生地にダメージを与えないようにしている。さらに、ワイヤ部材１３が生地や縫着部を突き破って外部や頭部被覆部１０内に飛び出さないようになっており、万が一飛び出した場合でも、装着者や周囲の者の安全を確保できる。
なお、ワイヤ部材１３においては、ワイヤ１６に被覆部１７やキャップ１８を取り付けるために接着剤が用いられていないことが好ましい。接着剤を使用すると、洗濯を重ねた際に接着剤が溶け出し、シミや汚れの原因となる可能性がある。
【００２２】
図５ないし図７に、ターバン１の装着状態の一例を示す。ここでは、ターバン１を装着する際に、先ず、頭部進入用開口部１１から頭部２を頭部被覆部１０内に進入させ、頭部２の略全体を頭部被覆部１０に収納する。それから、一対の巻き付け部１２ａ，１２ｂを、任意の位置（ここでは、頭部２の前側上部）で巻き付ける（装飾部１９を形成する）。ここで、巻き付け部１２ａ，１２ｂ（装飾部１９）の形態は、ワイヤ部材１３ａ，１３ｂによって保持される。これにより、装着されたターバン１の型崩れが防止され、ターバン１の頭部２からの脱落が防止されるとともに、ターバン１の装飾性が維持される。
【００２３】
また、本実施例のターバン１は、ワイヤ部材１３ａ，１３ｂをガイドにしてターバン１を短手方向に半分に折り畳むことで、（頭部被覆部１０に頭部２を収納することなく）従来のターバン（頭部被覆部を備えないターバン）と略同態様において装着することもできる。すなわち、図８および図９に示すように、半分に折り畳んだターバン１を、頭部２の後側から前側に回して、頭部２の前側上部で巻き付けて装着することができる。なお、このような装着態様では、ターバン１を装着した頭部２の一部が、外部から視認されることとなる。
【００２４】
本実施例のターバン１は、図５ないし図７に示すように、頭部被覆部１０に頭部２の略全体を収納した状態（頭部被覆部１０で頭部２の略全体を外部から視認できないように覆った状態）で装着できる点、およびそのような状態で巻き付け部１２ａ，１２ｂ（装飾部１９）の形態を維持できる点に、大きな意義がある。すなわち、本考案のターバンは、頭部における脱毛症の者や、病気（例えば、癌）の治療に伴って頭部に脱毛を生じた者等においても、装着中にターバンがズレる等して脱毛部分が露出してしまうことを不安を感じることなく、ターバンによる頭部の装飾（ファッション）を楽しむことができる。また、野外で活動する際（例えば、キャンプ等）にも、安全のために頭部全体を覆いつつ、ファッションを楽しむことができる。
【００２５】
さらに、本考案のターバンは、近年、様々な分野においてＱＯＬ（Ｑｕａｌｉｔｙ  Ｏｆ  Ｌｉｆｅ）の向上が求められている中、特に、医療分野において、脱毛症や癌の患者等に対してもファッションを楽しめる環境を提供することで、当該患者等のＱＯＬの向上に貢献し、ひいては治療の効果にも影響を与える可能性があるものである。
【符号の説明】
【００２６】
１    ターバン
１０  頭部被覆部
１１  頭部進入用開口部
１２（１２ａ，１２ｂ）  巻き付け部
１３（１３ａ，１３ｂ）  ワイヤ部材
１４  伸縮部材
１５  絞り部
１６  ワイヤ
１７  被覆部
１８  キャップ
１９  装飾部
２    頭部
３    生地
【図１】
0003235383.tif 000003
【図２】
0003235383.tif 000004
【図３】
0003235383.tif 000005
【図４】
0003235383.tif 000006
【図５】
0003235383.tif 000007
【図６】
0003235383.tif 000008
【図７】
0003235383.tif 000009
【図８】
0003235383.tif 000010
【図９】
0003235383.tif 000011